(57)【要約】【課題】畳表の折り曲げ部分を即座に柔軟にする液状の畳表軟化剤の塗布と、塗布後の一連の作業が、一人でも容易に行えるようにする。【解決手段】畳表軟化剤を収容する容器体３１と、容器体３１の開口部３２に着脱可能に取付けられる蓋体４１とを備える。蓋体４１の上端面には、ブラシ４２が植設されるとともに、畳表軟化剤を選択的に排出する逆止弁４４を有した排出口４３がブラシの植設面に設けられる。排出口４３から排出された畳表軟化剤はブラシ４２を伝って流れ、所望の部分のみに畳表軟化剤を簡易迅速に塗布できる。【選択図】図３
0003137566.tif 000002
【実用新案登録請求の範囲】
【請求項１】
液状の畳表軟化剤を収容する容器体と、該容器体の開口部に取付けられる蓋体とを備え、
該蓋体には、ブラシが植設されるとともに、容器体内の畳表軟化剤を選択的に排出すべく開閉する開閉手段を有した排出口が上記ブラシの植設面側に設けられ、該排出口から排出された畳表軟化剤がブラシを伝って流れるように構成された
畳表軟化剤塗布具。
【請求項２】
前記容器体が手で押した時に変形可能な柔軟性を有する材料で形成されるとともに、
前記開閉手段が、容器体が押圧変形された時に流通を許容する逆止弁で構成された
請求項１に記載の畳表軟化剤塗布具。
【請求項３】
前記蓋体が容器体に対して着脱自在に取付けられるとともに、
容器体には、充填する液体の適量を示す目盛りが設けられた
請求項１または請求項２に記載の畳表軟化剤塗布具。
【請求項４】
前記ブラシを被包する着脱自在のキャップが備えられた
請求項１から請求項３のうちのいずれか一項に記載の畳表軟化剤塗布具。
【請求項５】
前記キャップに、容器体の開口部に差し込み可能な差し込み口が設けられるとともに、該差し込み口と反対側の開口部の面積が、差し込み口よりも大きく形成された
請求項４に記載の畳表軟化剤塗布具。
【考案の詳細な説明】
【技術分野】
【０００１】
この考案は、畳表を畳床に被覆する際に使用される畳表軟化剤を簡便に使用できるようにする畳表軟化剤塗布具に関する。
【背景技術】
【０００２】
畳表軟化剤は、畳表を折曲しやすくするためのものである（下記特許文献１参照）。すなわち、畳表は、畳床の上側を包むように被せるものであり、畳表はい草を一方向に編んで形成したシート状であるため、い草の繊維方向に逆らう折り曲げを無造作に行うと、い草が折れてしまう。この折れは、折れる位置が直線状にはならず、不揃いの状態でボキボキと起る。こうなるとい草がいたみ、外観が損なわれるので、商品価値はなくなってしまう。
【０００３】
特許文献１の畳表軟化剤は、塗布すれば畳表をすぐにやわらかくするので、畳表を被覆する際には大変便利に用いられている。
【０００４】
しかも、畳縁が一切ない縁なし畳が流行っているので、畳表をきれいに折り曲げられる畳表軟化剤は、その需要の高さと相俟って、産業上大きな貢献をしている。
【０００５】
【特許文献１】特開２０００−３３６９１１号公報
【考案の開示】
【考案が解決しようとする課題】
【０００６】
畳表軟化剤の塗布は、刷毛を用いて行っていた。つまり、まず畳表軟化剤を皿などの容器に出す。場合によっては原液を水で薄めて容器に入れる。そして、刷毛を手に持って畳表軟化剤をつけ、畳表の必要箇所に移動して畳表軟化剤の塗布を行う。
【０００７】
この作業は、極簡単な作業であるが、ちょっとした手間である。つまり、塗布作業のつぎには畳表を折り曲げて畳床に被覆する作業が控えているからである。刷毛を用いて畳表軟化剤を塗布した後は、自立機能のない刷毛を、畳表軟化剤を入れた容器などに置いてから畳表の折り曲げや被覆を行わなければならず、一連の作業を一人で行うときには、煩雑さが否めなかった。
【０００８】
そこで、この考案は、畳表の軟化から被覆固定までの一連の作業を一人でも容易に行えるようにすることを目的とする。
【課題を解決するための手段】
【０００９】
そのための手段は、液状の畳表軟化剤を収容する容器体と、該容器体の開口部に取付けられる蓋体とを備え、該蓋体には、ブラシが植設されるとともに、容器体内の畳表軟化剤を選択的に排出すべく開閉する開閉手段を有した排出口が上記ブラシの植設面側に設けられ、該排出口から排出された畳表軟化剤がブラシを伝って流れるように構成された畳表軟化剤塗布具である。
【００１０】
すなわち、畳表を被覆する作業において、畳表の軟化は次のように行う。まず畳表軟化剤塗布具の容器体内の畳表軟化剤を、蓋体の開閉手段を開いて排出口から出す。排出口から排出された畳表軟化剤は、ブラシを伝って排出される。折り曲げる部分にブラシを擦りつければ、所望の範囲内に過不足なく畳表軟化剤が塗布される。
【００１１】
塗布後は、容器体を何処でも手近な場所に置いたり、体につけた道具保持具に保持させたりして、簡易迅速に、畳表の折り曲げ作業、被覆作業、固定作業を行える。
【００１２】
ここで、上記の構成要素については、次のような態様に構成することができる。  
その態様のひとつは、上記容器体が手で押した時に変形可能な柔軟性を有する材料で形成されるとともに、上記開閉手段が、容器体が押圧変形された時に流通を許容する逆止弁で構成された畳表軟化剤塗布具である。
【００１３】
すなわち、容器体を手で押圧すれば、容器体内の畳表軟化剤を出すことができるので、塗布作業が簡単に行える。
【００１４】
態様の他の一つは、上記蓋体が容器体に対して着脱自在に取付けられるとともに、容器体には、充填する液体の適量を示す目盛りが設けられた畳表軟化剤塗布具である。上記の目盛りは、使用するのに便利な量を示すものであるとよい。また、畳表軟化剤が希釈タイプのものである場合には、原液の適量位置と、添加する水の適量位置を示すものであるとよい。目盛り自体は、プリントや記入などによる表示やテープ等の貼り付けによるほか、容器体の所定箇所を凹又は凸に成形することによっても設けることができる。
【００１５】
容器体に収容された畳表軟化剤がなくなったときに、目盛りに従って薬剤（液体、粉体等を問わない。）等を充填することで、容器体と蓋体を再利用できるとともに、適切な畳表軟化剤を得られる。
【００１６】
態様の他の一つは、上記ブラシを被包する着脱自在のキャップが備えられた畳表軟化剤塗布具である。被包とは、ブラシの全体を覆うことのほか、部分的に覆うことも含む意味である。
【００１７】
すなわち、使用しないときにキャップを取付けておけば、ブラシを保護できる。このため、たとえば埃の付着や形の保持などを図ることが可能となる。また、キャップがブラシの全体を包む形状ではなく部分的に覆う形状である場合には、通気性を確保できる。このため、使用後すぐにキャップを取付けた場合でも、ブラシにカビが発生したりすることを防止できる。
【００１８】
上記のようにキャップを備える場合には、このキャップは、容器体の開口部に差し込み可能な差し込み口が設けられるとともに、該差し込み口と反対側の開口部の面積が、差し込み口よりも大きく形成されたものであるとよい。
【００１９】
すなわち、キャップを外して容器体の開口部に差し込み口を差し込むと、キャップの開口部が差し込み口よりも面積が広いので、キャップに漏斗の機能を持たせることができる。このため、薬剤の充填作業が容易である。
【考案の効果】
【００２０】
以上のように、この考案よれば、畳表軟化剤をいちいち容器に出す手間が不要である。また、使用後に畳表軟化剤が余ったときでも処分に困ることはなく、容器体内に収容した状態のまま置いておけばよく、無駄もない。さらに、畳表に対して塗布を行ったあと、従来のように刷毛を用いた場合に比して、畳表軟化剤塗布具の取り扱いが容易であり、軟化作業に続いての作業が簡易迅速に行える。畳表の軟化からの一連の作業を一人で行うことも可能である。
【００２１】
この結果、有益な畳表軟化剤の使用が簡便に行えるようになり、作業性の向上をはじめ、作業における正確さの向上等の効果も得ることができる。
【考案を実施するための最良の形態】
【００２２】
この考案を実施するための一形態を、以下図面を用いて説明する。  
図１は、畳表軟化剤塗布具１１（以下、「塗布具」という。）を示し、この図に示すように塗布具１１は、液状の畳表軟化剤２１を収容する容器体３１と、この容器体３１の上端の開口部３２に着脱自在に取付けられる蓋体４１とを備える。
【００２３】
容器体３１は、下端に接地部３３を有した縦長の瓶形の形状をなす合成樹脂製であり、柔軟性を有する材料で構成される。より好ましくは、柔軟で可撓性を有するように形成される。柔軟性に加えて可撓性があるほうが良いのは、容器体３１を手で握って押し潰した時に容易に変形してすぐに戻る（弾性復帰する）ほうが、たとえば容器体３１の下端の接地部３３での接地がいつでも安定して行えるなどの利点を有し、使用しやすいからである。
【００２４】
上端の開口部３２の外周面には雄ねじ３４が形成されて、上記の蓋体４１の取付けに備えている。
【００２５】
また、容器体３１は内部を透視できる透明などの透光性を有する合成樹脂材料で形成される。
【００２６】
さらに、収容する畳表軟化剤２１がなくなったときに、畳表軟化剤を適正に補充できるようにするための目盛り３５が容器体３１の側面に設けられている。補充する畳表軟化剤には、原液を水で薄めて使う希釈タイプのものを使用できるようにするため、原液の適量位置と、添加する水の適量位置とを表示する。
【００２７】
目盛り３５は、プリント、記入、シュリンクフィルムの被覆などにより設けられ、線状の目盛りライン３５ａと、「原液」または「水」の文字３５ｂを併記してなる。文字３５ｂを付記しているので間違いを防止できる。上記の目盛りライン３５ａと文字３５ｂは、容器体３１の成形に際して凸または凹で形成することもできる。
【００２８】
蓋体４１は、スクリューキャップ状に形成され、上端面にブラシ４２が植設されている。図２は、蓋体の平面図であり、この図に示すようにブラシ４２は、適宜本数ずつの束が同心円を描く放射状に配設されてなる。ブラシ４２の硬さや太さ、長さは適宜設定される。
【００２９】
また、蓋体４１の上端面の中央には、上記の容器体３１内と連通する排出口４３が形成されている。排出口４３には、図３に示したように、容器体３１内の畳表軟化剤２１を選択的に排出すべく開閉する開閉手段としての逆止弁４４が備えられる。逆止弁４４には周知の構造のものが使用される。
【００３０】
図３に示した逆止弁４４は、排出口４３の内側に保持されるばね４４ａと、このばね４４ａで反排出口４３側に付勢されるボール４４ｂと、このボール４４ｂが当接して閉塞される連通口４４ｃを有するとともに上記のばね４４ａとボール４４ｂを収容する筒状部４４ｄとで構成される。すなわち、容器体３１を逆さにして押し潰すと、これによって生じる圧力によりボール４４ｂが押されて、連通口４４ｃが開く。開いた連通口４４ｃは排出口４３と連通し、容器体３１内の畳表軟化剤２１が排出される。
【００３１】
上記の構造の逆止弁４４は、図４に示したように、蓋体４１の上面に突出した状態で設けられるもよい。図４に示した逆止弁４４は、蓋体４１の上面中央に設けられた連通口４４ｃと、この連通口４４ｃを囲うように設けられた筒状部４４ｄと、この筒状部４４ｄ内に収容されたボール４４ｂと、このボール４４ｂを連通口４４ｃ側に付勢するばね４４ａとを有し、筒状部４４ｄの上端には、排出口４３を有する閉塞板４５が固定されている。このような構成の逆止弁４４でも、上記と同様に容器体３１を逆さにして押し潰したときに生じる圧力によりボール４４ｂが押されて連通口４４ｃが開き、容器体３１内の畳表軟化剤２１が排出される。
【００３２】
なお、図中４６は雌ねじである。
【００３３】
このように構成された塗布具１１は、下端の接地部３３を接地させて安定して立てられる。そして、使用に際しては、図５に示したように逆さにしてから手で握って容器体３１を押し潰すと、これによって生じる圧力によりボール４４ｂが押されて連通口４４ｃが開く。開いた連通口４４ｃは排出口４３と連通し、容器体３１内の畳表軟化剤２１が排出される。逆止弁４４の作用により、逆さにしただけでは畳表軟化剤２１は排出されない。排出口４３を通して排出された畳表軟化剤２１はブラシ４２を伝って流れ、畳表５１におけるブラシ４２が接触した所望の部位のみに塗布される。従来のように刷毛を用いた場合のように、不要なところに畳表軟化剤を垂らしたりすることも防止できる。
【００３４】
畳表軟化剤２１は、すぐに畳表５１の所望部分を柔軟にするので、塗布後は、塗布具１１を適宜場所に置いたりして手をあければ、畳表５１の折り曲げ作業、被覆作業、固定作業を簡易迅速に行うことができる。塗布具１１を適宜の場所においても内部の畳表軟化剤がこぼれることはない。しかも、容器体３１は、その弾性復帰により元の形状にすぐに戻るので、接地部３３を下にしての安定した状態で立ち、不測に倒れたりすることはない。このため、塗布具１１に注ぐ注意を軽減でき、畳表５１の折り曲げ作業などを注意深く行うことができる。
【００３５】
このように、畳表軟化剤２１の塗布作業が容易に、しかも正確に行え、塗布後の扱いも簡単である。この結果、畳表５１の被覆作業を簡易迅速に行え、作業性を向上できる。また、作業の精度も高めることができ、良質の製品を得られるなどの効果も得られる。
【００３６】
また、作業後、畳表軟化剤２１が余った場合には、そののまま保管しておいて、次の作業に備えればよい。従来は、お皿などの容器に畳表軟化剤を出して使用していたので、余った畳表軟化剤の処分や、容器の保管、刷毛の保管に煩雑さがあったが、そのような手間を省くことができる。
【００３７】
以下、他の例について説明する。この説明において、上記の構成と同一または同等の部位については同一の符号を付して詳しい説明を省略する。
【００３８】
図６は、キャップ付きの塗布具１１の要部を示す断面図である。この図に示すように、塗布具１１は、ブラシ４２を被包するキャップ６１を着脱自在に備えている。キャップ６１は、容器体３１の肩部分に嵌合し、ブラシ４２の全体を被包する形態である。すなわち、下端の開口部６２は、容器体３１の肩部に嵌合する部分である。そして、下端の開口部６２より上側は、徐々に幅狭になるように傾斜しており、上端に平坦面６３が形成されている。平坦面６３の中央には、上に突出する差し込み口６４が形成される。差し込み口６４は、容器体３１上端の開口部３２の内側に差し込み可能な大きさである。また、差し込み口６４には、着脱可能な蓋部材６５が取付けられる。
【００３９】
このように構成された塗布具１１では、キャップ６１を外して、差し込み口６４の蓋部材６５を外してから図７に示したように、差し込み口６４を容器体３１の開口部３２に差し込むと、キャップ６１を漏斗として使用できる。差し込み口６４の周囲には平坦面６３があって、容器体３１上端の開口部３２の口縁に当接するので、安定した載置ができる。
【００４０】
このようなキャップ６１を備えると、使用しないときにブラシ４２に他の物品に当たって癖がついて曲がったり、埃等の汚れが付着したりすることを防止して、ブラシ４２を保護することができる。そして、キャップ６１を図７のように漏斗として使用する場合には、原液や水等の注入が容易に行える。
【００４１】
図８は、他の例に係るキャップ付きの塗布具１１の要部を示す側面図である。この図に示すように、塗布具１１は、ブラシ４２の全体ではなく部分的に被包する形状である。すなわち、キャップ６１は、ブラシ４２の上端部分と片側部分を主に被包する形状である。下端の開口部６２は斜めに形成され、上端には斜めの平坦面６３が形成されている。下端の開口部６２と上端の平坦面６３の傾斜方向は同一で、傾斜角は上端の平坦面６３の方が若干緩やかになるように設定されている。
【００４２】
そして、側壁６６は上端の平坦面６３を面方向と直角をなす方向から見たときに円形になるように形成されている。側壁６４の内周面における開口部に近い位置には、蓋体４１の側面に着脱可能に嵌合する嵌合部材６７が固定されている。嵌合部材６７は、ばね性を有する部材で形成され、蓋体４１に対して側面から着脱するもので、平面視略Ｃ字形に構成できる。
【００４３】
また、上端の平坦面６３の中央部分には、筒状の差し込み口６４が突設されている。この差し込み口６４は、図９に示したように容器体３１上端の開口部３２の内側に差し込み可能な大きさである。差し込み口６４には、着脱可能な蓋部材を取付けることもできる。
【００４４】
このように構成された塗布具１１では、キャップ６１を外して、図９に示したように差し込み口６４を容器体３１の開口部３２に差し込むと、キャップ６１を漏斗として使用できる。差し込み口６４の周囲には平坦面６３があるので、安定して載置できる。キャップ６１の嵌合部材６７は、注入時や取り扱い時にキャップ６１を保持するのに利用される。
【００４５】
このようなキャップ６１を備えると、使用しないときにブラシ４２に他の物品に当たって癖がついて曲がったり、埃等の汚れが付着したりすることを防止して、ブラシ４２を保護することができる。そして、キャップ６１を図９のように漏斗として使用する場合には、原液や水等の注入が容易に行える。
【００４６】
また、キャップ６１は図８に示したように、ブラシ４２を密閉するように被包するのではないので通気性を確保できる。この結果、作業直後にキャップ６１を取付けた場合でも、ブラシ４２の乾燥を促進し、ブラシ４２にカビが発生したりすることを防止できる。
【００４７】
図１０は、他の例に係る塗布具１１の要部の断面図である。この図に示すように、塗布具１１は排出口４３が塗布具１１の上端面ではなく横の面に設けられている。塗布具１１の高さ方向に対して斜めに設けることもできる。
【００４８】
このように、排出口４３の向きを変えれば、塗布具１１を逆さにせずとも使用でき、容器体３１の形態によってはより一層つかいやすい塗布具となる。
【００４９】
この考案の構成と、上記の一形態の構成との対応において、  
この考案における開閉手段は、上記の逆止弁に対応し、    
ブラシの植設面は、上端面に対応するも、  
この考案は、上記の構成のみに限定されるものではなく、その他の形態を採用することができる。
【００５０】
たとえば、蓋体４１は容器体３１に対して着脱自在でなく、一回限りの使い捨てタイプのものであるもよい。
【００５１】
また、キャップ６１は、漏斗の機能を果たさない単なるキャップとしてのものでありもよい。
【００５２】
さらに、目盛りは、文字なしで目盛りラインだけで構成されるものであるもよい。
【図面の簡単な説明】
【００５３】
【図１】畳表軟化剤塗布具の側面図。
【図２】蓋体の平面図。
【図３】畳表軟化剤塗布具の排出口部分の部分断面図。
【図４】畳表軟化剤塗布具の他の例に係る排出口部分の部分断面図。
【図５】使用状態の斜視図。
【図６】他の例に係る畳表軟化剤塗布具の部分断面図。
【図７】図６に示した畳表軟化剤塗布具の使用状態の部分断面図。
【図８】他の例に係る畳表軟化剤塗布具の側面図。
【図９】図８に示した畳表軟化剤塗布具の使用状態の部分断面図。
【図１０】他の例に係る畳表軟化剤塗布具の部分断面図。
【符号の説明】
【００５４】
１１…畳表軟化剤塗布具
２１…畳表軟化剤
３１…容器体
３２…開口部
３５…目盛り
４１…蓋体
４２…ブラシ
４３…排出口
４４…逆止弁
６１…キャップ
６２…開口部
６４…差し込み口
【図１】
0003137566.tif 000003
【図２】
0003137566.tif 000004
【図３】
0003137566.tif 000005
【図４】
0003137566.tif 000006
【図５】
0003137566.tif 000007
【図６】
0003137566.tif 000008
【図７】
0003137566.tif 000009
【図８】
0003137566.tif 000010
【図９】
0003137566.tif 000011
【図１０】
0003137566.tif 000012